(57)【特許請求の範囲】
【請求項１】
複数の送信ポイントの内、互いに異なる識別情報が設定された２以上の送信ポイントの無線エリアに位置する無線端末宛に送信する制御信号の数又は当該制御信号の送信に使用する無線リソース量が閾値未満である場合に、前記異なる識別情報が設定された２以上の送信ポイントにおける識別情報を同一に設定する制御を行なう制御部を備えた、基地局。
【請求項２】
前記制御部は、識別情報を同一に設定する前記２以上の送信ポイントの組み合わせが複数存在する場合、前記識別情報を同一に設定する前記２以上の送信ポイントの無線エリアと、前記同一に設定する識別情報と異なる識別情報の送信ポイントの無線エリアと、の両方に位置する無線端末の数がより少ない組み合わせを選択する、請求項１に記載の基地局。
【請求項３】
前記制御部は、識別情報を同一に設定する前記２以上の送信ポイントの組み合わせが複数存在する場合、前記識別情報を同一に設定する前記２以上の送信ポイントの無線エリアに位置する無線端末宛に送信する制御信号の数又は当該制御信号の送信に使用する無線リソース量が前記閾値になる送信ポイントの組み合わせか、または、前記閾値により近くなる送信ポイントの組み合わせを選択する、請求項１に記載の基地局。
【請求項４】
前記制御部は、識別情報を同一に設定された２以上の送信ポイントの無線エリアに位置する無線端末宛に送信する制御信号の数又は当該制御信号の送信に使用する無線リソース量が閾値以上となる場合に、前記識別情報を同一に設定された２以上の送信ポイントの一部の送信ポイントに異なる識別情報を設定する、請求項１から３のいずれか１に記載の基地局。
【請求項５】
前記制御部は、前記識別情報を同一に設定された２以上の送信ポイントの一部の送信ポイントが複数存在する場合、前記異なる識別情報が設定される前記一部の送信ポイントの無線エリアと、他の送信ポイントの識別情報の無線エリアと、の両方に位置する無線端末の数が、より少ない送信ポイントの組み合わせを選択する、請求項４に記載の基地局。
【請求項６】
制御信号の数又は当該制御信号の送信に使用する無線リソース量は、無線エリアに位置する無線端末の数および前記無線端末が送信ポイントから受信する信号の遅延スプレッドに基づいて算出される、請求項１から５のいずれか１に記載の基地局。
【請求項７】
複数の送信ポイントに接続される基地局と、前記複数の送信ポイントの少なくとも１つと通信する無線端末とを備える無線通信システムであって、
前記複数の送信ポイントの内、互いに異なる識別情報が設定された２以上の送信ポイントの無線エリアに位置する無線端末宛に送信する制御信号の数又は当該制御信号の送信に使用する無線リソース量が閾値未満である場合に、前記異なる識別情報が設定された２以上の送信ポイントにおける識別情報を同一に設定する制御を行なう制御部を備えた、無線通信システム。
【請求項８】
複数の送信ポイントの内、互いに異なる識別情報が設定された２以上の送信ポイントの無線エリアに位置する無線端末宛に送信する制御信号の数又は当該制御信号の送信に使用する無線リソース量が閾値未満である場合に、前記異なる識別情報が設定された２以上の送信ポイントにおける識別情報を同一に設定する制御を行なう、基地局の処理方法。
【発明の詳細な説明】
【技術分野】
【０００１】
開示は、基地局、無線通信システムおよび基地局の処理方法に関する。
【背景技術】
【０００２】
スマートフォン等の普及によりモバイルトラヒックが増加している。増加するトラヒックを収容するため、従来のマクロセルよりも送信電力の小さいセル（以下、「小セル」と呼称する場合がある。）を多数配置する構成が検討されている。同一の周波数を使う小セルを複数配置することで、無線リソースを地理的に再利用し、より多くのトラヒックを収容することが可能となる。小セルを構成する手段として、Ｃ−ＲＡＮ（Ｃｅｎｔｒａｌｉｚｅｄ  Ｒａｄｉｏ  Ａｃｃｅｓｓ  Ｎｅｔｗｏｒｋ）と呼称される構成を用いることがある。Ｃ−ＲＡＮにおいては、無線リソーススケジューラや信号処理部が１か所または数か所に集中配置され、無線送信部やアンテナ機能を持った複数のＲＲＨ（Ｒｅｍｏｔｅ  Ｒａｄｉｏ  Ｈｅａｄ）が分散して配置される。以下、ＲＲＨを送信ポイントと呼称する。
【先行技術文献】
【特許文献】
【０００３】
【特許文献１】特開２０１５−６１２４８号公報
【特許文献２】特表２０１４−５０５４４７号公報
【発明の開示】
【発明が解決しようとする課題】
【０００４】
送信ポイントをより多く配置する程、より多くのトラヒックを収容できる傾向がある。一方、送信ポイントを多く配置すると、送信ポイント間の干渉も大きくなるというデメリットも生じる。
【０００５】
以上に鑑み、送信ポイント間の干渉を抑制しながら、より多くのトラヒックを送信ポイントの無線エリアに収容することが可能な基地局、無線通信システムおよび基地局の処理方法について開示する。
【課題を解決するための手段】
【０００６】
一側面として、基地局は、複数の送信ポイントの内、互いに異なる識別情報が設定された２以上の送信ポイントの無線エリアに位置する無線端末宛に送信する制御信号の数又は当該制御信号の送信に使用する無線リソース量が閾値未満である場合に、前記異なる識別情報が設定された２以上の送信ポイントにおける識別情報を同一に設定する制御を行なう制御部を備える。
【発明の効果】
【０００７】
一側面によれば、送信ポイント間の干渉を抑制しながら、より多くのトラヒックを無線エリアに収容することが可能になる。
【図面の簡単な説明】
【０００８】
【図１】一実施形態に係る通信システムの全体構成図である。
【図２】送信ポイント間で異なる識別情報を設定する無線通信システムの全体構成図である。
【図３】送信ポイント間で同じ識別情報を設定する無線通信システムの全体構成図である。
【図４】一実施形態に係る基地局の機能ブロック図である。
【図５】無線エリアにおける無線端末の配置（分布）の一例を示す図である。
【図６】一実施形態に係る基地局が、送信ポイント毎に制御信号の数を算出する処理のフローチャートである。
【図７】図５に示す一例における各無線端末の接続送信ポイントとセカンダリ送信ポイントとの一例を示す図である。
【図８】（Ａ）は、図５に示す一例における各送信ポイントの端末数に基づいて算出される値（Ｎｔ）の値の一例を示す図であり、（Ｂ）は、遅延スプレッドに制御信号の数に関する情報を対応づけたデータ構造の一例を示す図であり、（Ｃ）は、図５に示す一例における各送信ポイントの遅延スプレッドの一例を示す図であり、（Ｄ）は、図５に示す一例における各送信ポイントの遅延スプレッドに基づいて算出される値（Ｌｔ）の値の一例を示す図であり、（Ｅ）は、図５に示す一例における各送信ポイントの制御信号の数（Ｍｔ）の値の一例を示す図である。
【図９】一実施形態に係る基地局が各送信ポイントの遅延スプレッドから制御信号の数または当該制御信号の送信に使用される無線リソース量に関する情報を算出する処理のフローチャートである。
【図１０】一実施形態に係る基地局が、ＮｔおよびＬｔに基づいて、各送信ポイントにおいて単位通信時間に実際に送信されると予想される制御信号の数又は当該制御信号の送信に使用される無線リソース量を表わすＭｔを算出する処理のフローチャートである。
【図１１】図５に示す一例において、隣接する送信ポイントの識別情報を同一に設定した場合の制御信号の数の算出結果の一例を示す図である。
【図１２】図５に示す一例において、２つの送信ポイントに設定される識別情報を同一識別情報とした場合の一例を示す図である。
【図１３】図１２に示す一例における各無線端末の接続送信ポイントとセカンダリ送信ポイントとを示す図である。
【図１４】一実施形態に係る基地局が、無線エリアを合併した場合の送信ポイントのＭｔに加え、合併後の無線エリアと他の無線エリアとの境界（無線エリアの端部）に存在する無線端末数を算出した一例を示す図である。
【図１５】図５に示す一例において、２つの送信ポイントに設定される識別情報を同一の識別情報に設定した状況の一例を示す図である。
【図１６】図５に示す一例において、３つの送信ポイントに設定される識別情報を同一の識別情報に設定した後に、無線エリア内に１０の無線端末が位置するようになった状況の一例を示す図である。
【図１７】図１６に示す一例において、３つの送信ポイントのうち１つに異なる識別情報を設定した状況の一例を示す図である。
【図１８】一実施形態に係る基地局のセルＩＤ制御部における処理のフローチャートである。
【図１９】一実施形態に係る基地局が、各送信ポイントにおける制御信号の数または当該制御信号の送信に使用される無線リソース量を算出する処理のフローチャートである。
【図２０】図１８の一実施形態に係る基地局の処理において、複数の送信ポイントが選択可能である場合を考慮した処理のフローチャートである。
【図２１】送信ポイントが互いに隣りあって存在する場合の、識別情報を同一にしたり異ならせたりする場合の状態間の遷移図である。
【図２２】一実施形態に係る基地局のハードウェア構成図である。
【図２３】（Ａ）は、無線エリア端の無線端末が多くなった場合の比較例と一実施形態との動作の違いを説明するための一例を示す図であり、（Ｂ）は、無線エリア端の無線端末が少なくなった場合の比較例と一実施形態との動作の違いを説明するための一例を示す図である。
【発明を実施するための形態】
【０００９】
以下に、実施形態について図面を参照して説明する。なお、同一または同様の構成要素には同一の符号を付す。
【００１０】
（実施形態）
以下では、通信規格としてＴＤＤ−ＬＴＥ（Ｔｉｍｅ  Ｄｉｖｉｓｉｏｎ  Ｄｕｐｕｌｅｘ−Ｌｏｎｇ  Ｔｅｒｍ  Ｅｖｏｌｕｔｉｏｎ）の規格を一例として用いた実施形態について述べる。
【００１１】
図１は、一実施形態に係る通信システム１００の全体構成を示す図である。基地局１０１に、送信ポイント１０２〜１０５が接続されている。基地局１０１と送信ポイント１０２〜１０５との接続には、例えば光ファイバによる有線通信および例えばマイクロウェーブ回線による無線通信のいずれか一以上が使用される。送信ポイント１０２〜１０５それぞれは、無線エリアを形成する。別言すると、送信ポイント１０２〜１０５それぞれが形成する無線エリアのいずれかに無線端末が位置する。当該無線端末は、位置する無線エリアを形成する送信ポイント１０２〜１０５と無線信号の送受信が可能となる。
【００１２】
送信ポイント１０２〜１０５の内、送信ポイント１０２は、無線エリアとして大セル１０９を形成している。「大セル」は、「マクロセル」と呼称される場合がある。無線エリア１０９の内部に送信ポイント１０３〜１０５が配置され、それぞれは、無線エリアとして小セル１０６〜１０８を形成している。
【００１３】
「小セル」は、マクロセルよりも電波到達範囲（カバレッジ）の小さいセルの一例である。スモールセルは、カバレッジエリアに応じて呼称が異なってよい。例えば、小セルは、「フェムトセル」、「ピコセル」、「マイクロセル」、「ナノセル」、「メトロセル」、「ホームセル」などと呼称されてもよい。
【００１４】
基地局１０１は、送信ポイント１０２〜１０５と接続され、また、コアネットワーク（不図示）にも接続され、コアネットワークと送信ポイント１０２〜１０５の無線エリアに位置する無線端末との通信を中継する。また、基地局１０１は、コアネットワークからの制御信号に応じて、送信ポイント１０２〜１０５および送信ポイント１０２〜１０５のいずれかの無線エリアに位置する無線端末との間の通信を制御する。また、基地局１０１は、コアネットワークからの制御に依存せず、送信ポイント１０２〜１０５および送信ポイント１０２〜１０５のいずれかの無線エリアに位置する無線端末との間の通信を自律的に制御することもできる。
【００１５】
基地局１０１は、コアネットワークとのインターフェースと送信ポイント１０２〜１０５および送信ポイント１０２〜１０５のいずれかの無線エリアに位置する無線端末との通信のためのベースバンドユニットとを備える。また、送信ポイント１０２〜１０５のそれぞれは、無線部を備え、基地局１０１のベースバンドユニットが生成したベースバンド信号を無線信号に変換しアンテナを通じて無線信号を送信する。また、送信ポイント１０２〜１０５それぞれは、無線端末からの無線信号を受信し、ベースバンド信号に変換し、基地局１０１に送信することもできる。
【００１６】
上述したように、送信ポイントを多く配置することにより、無線エリアに多くのトラヒックを収容可能となる。その一方で、送信ポイント間（別言すると無線エリア間）での干渉も大きくなり得る。ＬＴＥ（Ｌｏｎｇ  Ｔｅｒｍ  Ｅｖｏｌｕｔｉｏｎ）の規格では、干渉の問題に対する有効な技術として、セル間連携干渉制御技術（ＣｏＭＰ：  Ｃｏｏｒｄｉｎａｔｅｄ  Ｍｕｌｔｉｐｏｉｎｔ  ｏｐｅｒａｔｉｏｎ）が検討されている。
【００１７】
ＣｏＭＰにおいては、接続するセルではなく隣接セルから一時的にデータ送信を実施するＤＰＳ（Ｄｙｎａｍｉｃ  Ｐｏｉｎｔ  Ｓｅｌｅｃｔｉｏｎ）を行なうことで送受信品質を向上させることができる。あるいは、ＣｏＭＰにおいては、接続セルと隣接セルとの同時データ送信を実施するＪＴ（Ｊｏｉｎｔ  Ｔｒａｎｓｍｉｓｓｉｏｎ）を行うことで受信品質を向上させることができる。異なるデータ送信方式に対応するには、ＬＴＥでは、ユーザ個別に設定できる参照信号や様々な干渉状態を測定するためのＣＳＩ（Ｃｈａｎｎｅｌ  Ｓｔａｔｅ  Ｉｎｆｏｒｍａｔｉｏｎ）参照信号等が規格化されている。一方で、無線端末は、データ信号の割り当て情報等を通知する制御信号を、セル固有の参照信号（ＣＲＳ：  Ｃｅｌｌ−ｓｐｅｃｉｆｉｃ  Ｒｅｆｅｒｅｎｃｅ  Ｓｉｇｎａｌ）を基準として受信処理を行うため、前述のセル間協調制御を適用することが困難である。
【００１８】
したがって、図２に示すような、ＴＰ間で異なる識別情報（「セルＩＤ（ＩＤｅｎｔｉｆｉｅｒ）」と称してよい）を設定する無線通信システム（以下、「個別セルＩＤ方式のシステム」という。）においては制御信号の干渉問題が依然として残ってしまう。制御信号の干渉は、無線端末が、例えば小セル１０６と小セル１０７との小セルの両方に位置する場合（以下、「小セルの端部に位置する場合」または「小セルの境界に位置する場合」という。）に発生する。図２においては、点線はＰＤＳＣＨ（Ｐｈｙｓｉｃａｌ  Ｄｏｗｎｌｉｎｋ  Ｓｈａｒｅｄ  ＣＨａｎｅｌ）などのユーザデータのリンクが確立していることを示す。また、一点鎖線はＰＤＣＣＨ（Ｐｈｙｓｉｃａｌ  Ｄｏｗｎｌｉｎｋ  Ｃｏｎｔｒｏｌ  ＣＨａｎｅｌ）などの制御信号のリンクが確立していることを示す。別言すると、無線端末１１１、無線端末１１２および無線端末１１３はそれぞれ、送信ポイント１０３〜１０５の無線エリアに位置し、基地局１０１からのユーザデータおよび制御信号を受信する。なお、説明を簡単にするために、小セルについて着目して説明し、送信ポイント１０２および大セル１０９についての言及を省略した（以下においても送信ポイント１０２および大セル１０９についての言及を省略する。）
【００１９】
小セル１０６、小セル１０７および小セル１０８それぞれは互いに隣接しており、送信ポイント１０３〜１０５が同じ周波数帯域を用いてユーザデータおよび制御信号を送信すると、小セル１０６、小セル１０７および小セル１０８間の干渉が生じ得る。
【００２０】
干渉の問題を解決するための技術の一つとして、図３に示す同一セルＩＤ方式がある。同一セルＩＤ方式では、互いに隣接する送信ポイントに同一のセルＩＤを設定し、ＣＲＳおよび当該ＣＲＳを利用する制御信号を複数の無線エリアから同時に送信することで制御信号のセル間の干渉を抑制することが可能となる。なお、以下において、送信ポイントに設定するセルＩＤを、当該送信ポイントが形成するセルのＩＤとして用いる場合がある。
【００２１】
別言すると、図３においては、送信ポイント１０３〜１０５に同じセルＩＤを設定している。これにより、例えば、無線端末１１３は、一点鎖線で示されるように、送信ポイント１０５に加え、送信ポイント１０３および１０４からも同一の制御信号を受信する。図示していないが、他の無線端末１１１、無線端末１１２についても同様である。これにより、個別セルＩＤ方式のシステムでは、ＰＤＳＣＨのデータが受信される小セルとＰＤＣＣＨの信号が受信される小セルとが１対１に対応するのに対し、同一セルＩＤ方式では、１対多に対応する。別言すると、同一セルＩＤ方式では、ＰＤＣＣＨの信号は、同一のセルＩＤが設定された複数の小セルで受信され、ＰＤＳＣＨのデータは、個々の小セルで受信される。同一セルＩＤ方式では、個々の小セルを包含するようにＰＤＣＣＨの信号の受信品質が良好なエリアが形成される。
【００２２】
しかし、同一セルＩＤ方式では、複数の送信ポイントから同一の制御信号を送信するので、制御信号を送信するための無線リソースは個別セルＩＤ方式に対して多く使用される。例えば二つの送信ポイントに同一のセルＩＤを設定して運用すると、送信ポイントを個別セルＩＤで運用した場合に対して、１つのセルＩＤ当たりの無線端末数が増加するので、無線リソースを例えば２倍使用することと等価となり得る。このため、無線エリアの単位面積当たりの制御信号の多重数は半減してしまうことがあり得る。したがって、図３に示すように、送信ポイント１０３〜１０５に同じセルＩＤを設定すると、無線エリアの単位面積当たりの制御信号の多重数は、図２の場合の３分の１となってしまうことがあり得る。これは、上述のように、同一セルＩＤ方式では、複数の送信ポイントから同時に同じ制御信号を送信するためである。
【００２３】
別言すると、同一セルＩＤ方式を適用することで制御信号の干渉は抑制されるものの、各送信ポイントで多くの無線端末への通信を多重しようとしても、制御信号の多重数の上限が減少することによる特性劣化が懸念される。したがって、同一セルＩＤ方式で運用するか、個別セルＩＤ方式で運用するかの選択は、一律に選択されるものではなく、状況に応じて選択するのが好ましいと考えられる。別言すると、同一セルＩＤ方式および個別セルＩＤ方式のいずれかに固定するのではなく、動的に選択することが好ましいと考えられる。
【００２４】
図４は、一実施形態に係る基地局１０１の機能ブロック図である。基地局１０１は、送信ポイント１０３、送信ポイント１０４および送信ポイント１０５それぞれに接続されている。以下において、送信ポイントをＴＰ（Ｔｒａｎｓｉｍｉｓｓｉｏｎ  Ｐｏｉｎｔ）と記載し、送信ポイントが形成する無線エリアを「送信ポイントのセル」と記載する。また、ＴＰ１０３、ＴＰ１０４およびＴＰ１０５のそれぞれのセルに設定されたセルＩＤを、＃ａ、＃ｂおよび＃ｃと記す。また、ＴＰ１０３を＃ａのＴＰ、ＴＰ１０４を＃ｂのＴＰおよびＴＰ１０５を＃ｃのＴＰと記載する。
【００２５】
基地局１０１は、ネットワークＩ／Ｆ（ＩｎｔｅｒＦａｃｅ）４２３と、ＢＢＵ（Ｂａｓｅ  Ｂａｎｄ  Ｕｎｉｔ）４２２と、ＴＰ  Ｉ／Ｆ４２１と、セルＩＤ制御部４０１とを備える。
【００２６】
ネットワークＩ／Ｆ４２３は、コアネットワークに基地局１０１を接続するためのインターフェースである。ネットワークＩ／Ｆ４２３は、コアネットワークより受信されるユーザデータおよび制御信号をＢＢＵ４２２に出力し、また、ＢＢＵ４２２から入力されるユーザデータおよび制御信号をコアネットワークへ送信する。
【００２７】
ＢＢＵ４２２は、ネットワークＩ／Ｆ４２３から入力されたユーザデータおよび制御信号を、ＴＰ１０３〜１０５およびＴＰ１０３〜１０５のセルに位置する無線装置に送信するために、ベースバンド処理を実行する。また、ＢＢＵ４２２は、ＴＰ１０３〜１０５およびＴＰ１０３〜１０５のセルする無線装置から受信され変換されたベースバンド信号をコアネットワークに送信するための信号処理を実行する。
【００２８】
ＴＰ  Ｉ／Ｆ４２１は、ＴＰ１０３〜１０５に基地局１０１を接続するためのインターフェースである。ＴＰ  Ｉ／Ｆ４２１は、ＴＰ１０３〜１０５それぞれより受信したベースバンド信号をＢＢＵ４２２に出力し、また、ＢＢＵ４２２から入力されたベースバンド信号をＴＰ１０３〜１０５に出力する。
【００２９】
セルＩＤ制御部４０１は、ＴＰ１０３〜１０５に設定するセルＩＤを制御する。当該制御は、ＴＰ１０３〜１０５から無線端末宛に送信する制御信号の数または当該制御信号の送信に使用する無線リソース量に応じて行なわれる。例えば、セルＩＤ制御部４０１は、ＴＰ１０３〜１０５のそれぞれのセルに位置する無線端末の数、伝搬路状況（例えば遅延スプレッドの大きさ）およびセルの端部に位置するかどうかのいずれか１以上に応じてＴＰ１０３〜１０５のセルに設定するセルＩＤを制御する。例えば、ＴＰ１０３とＴＰ１０４とのセルに設定するセルＩＤを同一にする場合には、セルＩＤ制御部４０１は、例えば、ＢＢＵ４２２に対して、ＴＰ１０３とＴＰ１０４とに向けて送信するベースバンド信号を同一とするように制御する。
【００３０】
セルＩＤ制御部４０１は、セルＩＤ決定部４１３を備える。また、セルＩＤ制御部４０１は、制御信号算出部４１２を備える。さらに、セルＩＤ制御部４０１は、ＴＰ端通信端末数算出部４１１を備えていてもよい。また、セルＩＤ制御部４０１は、さらに、受信電力算出部４１７と、遅延スプレッド計測部４１８と、ＴＰ受信部４１９とを備えていてもよい。
【００３１】
セルＩＤ決定部４１３は、ＴＰ１０３〜１０５のそれぞれのセルに設定するセルＩＤを決定する。セルＩＤ決定部４１３によるセルＩＤの決定は、制御信号算出部４１２の出力に応じて、また必要に応じてＴＰ端通信端末数算出部４１１の出力に応じて、行なわれる。制御信号算出部４１２は、無線端末の数および伝搬路状況に関する情報を出力する。また、ＴＰ端通信端末数算出部４１１は、無線端末がセルの端部に位置するかどうかに関する情報を出力する。したがって、セルＩＤ決定部４１３は、無線端末の数、伝搬路状況（例えば遅延スプレッドの大きさ）およびセルの端部に位置するかどうかのいずれか１以上に基づいて、ＴＰ１０３〜１０５それぞれのセルに設定するセルＩＤを決定する。
【００３２】
制御信号算出部４１２は、ＴＰ１０３〜１０５それぞれのセルに位置する無線端末へ送信する制御信号の数または当該制御信号の送信に使用する無線リソース量に関する情報を算出する。制御信号の数は、単位時間当たりに無線端末へ送信する制御信号の情報量に比例し得る。別言すれば、制御信号の数は、単位時間当たりに制御信号を無線端末へ送信するための無線リソース量に比例し得る。さらに別言すれば、制御信号の数は、同時に無線端末へ制御信号を送信する多重化度に比例し得る。より具体的には、制御信号算出部４１２は、ＴＰ１０３〜１０５のそれぞれのセルに位置する無線端末へ送信する単位時間当たりの制御信号の数または当該制御信号の送信に使用する無線リソース量の最大値を算出する。当該制御信号の数または当該制御信号の送信に使用する無線リソース量に関する情報の算出には、ＴＰ１０３〜１０５に接続する無線端末の数および当該無線端末が位置するセルのＴＰにおける遅延スプレッドに基づいて算出することができる。
【００３３】
無線端末がどのＴＰのセルに位置し、ＴＰに接続するかは、例えば、無線端末がＴＰ１０３〜１０５の全てまたは一部から受信する受信信号の受信電力を算出し、最大の受信電力となる受信信号を送信するＴＰによって判定することができる。そこで、各無線端末について最大の受信電力となる受信信号を送信するＴＰを決定するために、制御信号算出部４１２は、第１制御信号算出部４１５を備えていてもよい。
【００３４】
第１制御信号算出部４１５は、各ＴＰから受信する受信信号の受信電力の算出結果に基づいて、各無線端末がどのＴＰに接続するかを決定する。
【００３５】
第１制御信号算出部４１５が、各無線端末がどのＴＰに接続するかを決定するために、受信電力算出部４１７は、ＴＰ受信部４１９からの受信結果に基づいて、各無線端末の各ＴＰからの受信信号の受信電力を算出することができる。具体的には、受信電力算出部４１７は、各ＴＰから、当該ＴＰの送信電力と、当該ＴＰが無線端末の送信信号を受信した場合の受信電力とに関する情報を収集する。また、受信電力算出部４１７は、ＴＰを介して各無線端末の送信電力に関する情報を収集する。ＴＰ＃ｊの送信電力値をＰＴＰ，ｊとし、ＴＰ＃ｊが無線端末＃ｉの送信信号を受信した場合の受信電力値をＲＵＬ，ｉ，ｊとする。また、無線端末＃ｉの送信電力値をＰＵＥ，ｉとする。このとき、受信電力算出部４１７は、無線端末＃ｉが、ＴＰ＃ｊの送信信号を受信した受信電力値ＲＤＬ，ｉ，ｊを次の式により推定することができる。
ＲＤＬ，ｉ，ｊ＝ＲＵＬ，ｉ，ｊ−ＰＵＥ，ｉ＋ＰＴＰ，ｊ
【００３６】
したがって、第１制御信号算出部４１５は、無線端末＃ｉが位置するセルのＴＰ＃ｊを、
ａｒｇｍａｘｊ（ＲＤＬ，ｉ，ｊ）
により決定することができる。なお、ＴＰ＃ｊを、無線端末＃ｉの「接続ＴＰ」と呼称し、「無線端末＃ｉは、ＴＰ＃ｊに接続する」と記載する。
【００３７】
遅延スプレッドは、無線端末ごとに計測される。ＴＰにおける遅延スプレッドは、ＴＰに接続する無線端末が送信する信号の遅延スプレッドを計測することにより算出する値とすることができる。ＴＰにおける遅延スプレッドを、ＴＰに接続する無線端末が送信する信号の遅延スプレッドの平均値や最大値の算出結果とすることができる。このため、制御信号算出部４１２は、第２制御信号算出部４１６を備えていてもよい。第２制御信号算出部４１６は、ＴＰ毎に遅延スプレッドを算出する。
【００３８】
第２制御信号算出部４１６がＴＰ毎に遅延スプレッドを算出することができるようにするために、遅延スプレッド計測部４１８は、各ＴＰに接続する無線端末ごとに、ＴＰ受信部４１９により各ＴＰから受信される受信信号に基づいて、遅延スプレッドを計測する。
【００３９】
また、ＴＰ端通信端末数算出部４１１は、各ＴＰのセルの端部に位置する無線端末の数を測定する。別言すると、あるＴＰの形成するセル内に位置するとともに、他のＴＰのセルにも位置する無線端末の数を測定する。当該無線端末は、隣接するＴＰの形成するセルに重なりが生じている状態において当該重なりの領域に位置する場合に、生じる。無線端末がＴＰ端に位置するかどうかは、無線端末が各ＴＰから受信する信号の受信電力を測定または推定し、複数のＴＰから受信する信号の受信電力が閾値未満であるかどうかにより判定することが可能である。
【００４０】
ＴＰ端通信端末数算出部４１１は、無線端末＃ｉが接続するＴＰをＴＰ＃ｊとし、ＴＨを所定の値とするとき、受信電力算出部４１７の算出したＲＤＬ，ｉ，ｊおよびＲＤＬ，ｉ，ｋを用いて
ＲＤＬ，ｉ，ｊ−ＲＤＬ，ｉ，ｋ＜ＴＨ          （式１）
を満たすＴＰ＃ｋの存在が検出される場合、無線端末＃ｉは、ＴＰのセルの端部に位置すると判断することができる。ＴＰ＃ｊを無線端末＃ｉの「プライマリＴＰ」と呼称し、ＴＰ＃ｋを無線端末＃ｉの「セカンダリＴＰ」と呼称する場合がある。
【００４１】
以下、基地局１０１におけるセルＩＤ制御部４０１の動作について図面を参照して具体的な例を用いて説明する。
【００４２】
図５は、説明に使用する具体例として、セル＃ａ、セル＃ｂおよびセル＃ｃにおける無線端末の分布の一例を示す。図５においては、ＴＰと当該ＴＰに接続する無線端末は、点線により結ばれている。また、無線端末がセルの端部に位置していることを、複数のセルの円内のいずれか少なくとも二つ以上に位置することにより示されている。
【００４３】
別言すると、セル＃ａに、無線端末＃１、無線端末＃２および無線端末＃１０が位置している。セル＃ｂに、無線端末＃３、無線端末＃４、無線端末＃５、無線端末＃６および無線端末＃７が位置している。セル＃ｃに、無線端末＃８および無線端末＃９が位置している。また、無線端末＃２、無線端末＃３および無線端末＃４は、セル＃ａおよびセル＃ｂに位置しているので、セル＃ａのセルの端部およびセル＃ｂのセルの端部に位置している。同様に、無線端末＃８は、セル＃ｂのセルの端部およびセル＃ｃのセルの端部に位置している。無線端末＃９および無線端末＃１０は、セル＃ｃのセルの端部および＃ａのセルの端部に位置している。
【００４４】
図６は、各無線端末の接続ＴＰを決定し、各ＴＰに接続する無線端末の数を算出し、ＴＰ毎に制御信号の数または当該制御信号の送信に使用される無線リソース量を算出する処理のフローチャートである。図６に示されるフローチャートの処理は、制御信号算出部４１２およびセルＩＤ決定部４１３により行なわれる。より具体的には、図６に示されるフローチャートの処理は、第１制御信号算出部４１５および多重度算出部４１４により行なわれる。
【００４５】
基地局１０１に接続されるＴＰの任意の１つをｔとするとき、ｔｅｒｍｔを、ｔを接続ＴＰとする無線端末の数を格納する変数とする。また、Ｎｔを、ｔを接続ＴＰとする無線端末の数に基づいて算出される制御信号の数または当該制御信号の送信に使用される無線リソース量を格納する変数であるとする。なお、ｔｅｒｍｔおよびＮｔは、図６のフローチャートの処理を実行する前に０に初期化される。基地局１０１に接続されるＴＰを接続ＴＰのいずれかとする無線端末の集合を、「Ｔｅｒｍｉｎａｌｓ」と記載する。
【００４６】
図６のフローチャートのステップＳ６０１からステップＳ６０４までは、集合Ｔｅｒｍｉｎａｌｓの要素である無線端末についてのループである。別言すると、Ｔｅｒｍｉｎａｌｓの要素である無線端末それぞれについて、ステップＳ６０２において無線端末の接続ＴＰを求め、当該ＴＰの識別子を変数ｔに代入する。無線端末の接続ＴＰは、小セル内の各ＴＰにおいて無線端末のＳＲＳ（Ｓｏｕｎｄｉｎｇ  Ｒｅｆｅｒｅｎｃｅ  Ｓｉｇｎａｌ）の受信電力値を受信電力算出部４１７により算出し、上述したように、最も受信電力値が大きいＴＰとして、決定することができる。ステップＳ６０３において、変数ｔｅｒｍｔの値を１増加させる。具体的には、ステップＳ６０２の処理は、制御信号算出部４１２の第１制御信号算出部４１５により行なわれる。
【００４７】
図５の場合については、無線端末＃１〜＃１０の接続ＴＰは、図７に示す「Ｔｅｒｍｉｎａｌ」の列の値に対応する「接続ＴＰ」の列の値となる。したがって、ステップＳ６０１からステップＳ６０４までの処理を終了すると、
ｔｅｒｍ＃ａ＝３
ｔｅｒｍ＃ｂ＝５
ｔｅｒｍ＃ｃ＝２
となる。
【００４８】
なお、図７に示す例において、「セカンダリＴＰ」の列は、無線端末がＴＰ端に位置する場合のセカンダリＴＰ（式１のＲＤＬ，ｉ，ｋに関するＴＰ＃ｋ）の識別子を格納する。各無線端末について、セカンダリＴＰが存在するかどうか、またセカンダリＴＰが存在する場合におけるセカンダリＴＰの識別子は、必要に応じて、ＴＰ端通信端末数算出部４１１がＴＰの端部の無線端末数を算出することにより決定することができる。
【００４９】
基地局１０１に接続されるＴＰの集合を、「ＴＰｓ」と記載するとき、ステップＳ６０５からステップＳ６０７までは、ＴＰｓの要素についてのループである。別言すると、ＴＰｓの要素がループの進行に伴い順次代入される変数ｔの値それぞれについて、ｔｅｒｍｔの値を所定の係数α倍した値を変数Ｎｔに代入する。αは、無線端末の数を制御信号の数または当該制御信号の送信に使用される無線リソース量に変換するための係数である。具体的には、ステップＳ６０６の処理は、セルＩＤ決定部４１３の多重度算出部４１４により行なうことができる。
【００５０】
説明を簡単にするために例えばα＝１とすると、ステップＳ６０５からステップＳ６０７までの処理を終了した時点において、
Ｎ＃ａ＝３
Ｎ＃ｂ＝５
Ｎ＃ｃ＝２
となる。別言すると、図８（Ａ）に示すように、＃ａに対して３、＃ｂに対して５、＃ｃに対して２が得られる。
【００５１】
図９は、各ＴＰについて、最大の遅延スプレッドを算出し、算出された遅延スプレッドから制御信号の数に関する情報を算出する処理のフローチャートである。図９に示すフローチャートは、制御信号算出部４１２およびセルＩＤ決定部４１３により行なわれる。より具体的には、図９に示されるフローチャートの処理は、制御信号算出部４１２の第２制御信号算出部４１６およびセルＩＤ決定部４１３の多重度算出部４１４により行なわれる。
【００５２】
基地局１０１に接続されるＴＰの任意の１つをｔとするとき、ｔを接続ＴＰとする無線端末の遅延スプレッドの最大値を格納する変数を、Ｍａｘｔとする。また、ｔについて、Ｍａｘｔから算出される制御信号の数または当該制御信号の送信に使用される無線リソース量が格納される変数をＬｔとする。
【００５３】
図９のフローチャートのステップＳ９０１からステップＳ９０６までは、Ｔｅｒｍｉｎａｌｓの要素である無線端末についてのループである。別言すると、Ｔｅｒｍｉｎａｌｓの要素がループの進行に伴い順次代入される変数ｍのそれぞれの値について、以下を実行する。ステップＳ９０２において、ｍの接続ＴＰを求める。ｍの接続ＴＰは、図６のフローチャートのステップＳ６０２の処理と同様に求めることができる。ステップＳ９０３において、ｔの遅延スプレッドを計測し、変数ｓｐｒｅａｄに代入する。遅延スプレッドは、遅延スプレッド計測部４１８により算出することができる。ステップＳ９０４において、ｓｐｒｅａｄに代入された値が、Ｍａｘｔより大きいかどうか判断する。ｓｐｒｅａｄに代入された値が、Ｍａｘｔより大きいときに、ステップＳ９０５においてＭａｘｔにｓｐｒｅａｄの値を代入する。具体的には、ステップＳ９０２〜Ｓ９０５の処理は、制御信号算出部４１２の第２制御信号算出部４１６により行なわれる。
【００５４】
図９のフローチャートのステップＳ９０１からステップＳ９０６までの処理が終了した結果、Ｍａｘｔが図８（Ｃ）に示されるように算出されたとする。すなわち、Ｍａｘ＃ａがｃ〜ｄ（ｃ以上ｄ未満）、Ｍａｘ＃ｂがｄ〜ｅ（ｄ以上ｅ未満）およびＭａｘ＃Ｃがｃ〜ｄと算出されたとする（なお、ｃ、ｄ、ｅは、数値を示し、例えば、マイクロ秒を単位とする）。
【００５５】
図９のフローチャートのステップＳ９０７からＳ９０９は、ＴＰｓの要素であるＴＰについてのループであり、遅延スプレッドを制御信号の数または／および制御信号の無線リソース量に変換する処理である。ステップＳ９０７からＳ９０９のうち、ステップＳ９０８の処理は、具体的には、多重度算出部４１４により行なわれる。
【００５６】
ステップＳ９０８において、Ｔａｂｌｅ［Ｍａｘｔ］に係数αを乗じた値をＬｔに代入する。なお、Ｔａｂｌｅは、遅延スプレッドに対して、制御信号の数または当該制御信号の送信に使用される無線リソース量に関する情報を事前に対応づけたデータ構造（例えば、配列）である。当該データ構造は、例えば、図８（Ｂ）に示すように、ａ以上ｂ未満の遅延スプレッドには１、ｂ以上ｃ未満の遅延スプレッドには２、ｃ以上ｄ未満の遅延スプレッドには３、ｄ以上ｅ未満の遅延スプレッドには４を対応づける。また、当該データ構造は、ｅ以上ｆ未満の遅延スプレッドには５、ｆ以上の遅延スプレッドには６を対応づけることができる。
【００５７】
なお、遅延スプレッドが大きいほど、Ｔａｂｌｅが大きな制御信号の数または当該制御信号の送信に使用される無線リソース量を対応づけている理由は次の通りである。遅延スプレッドが大きい程、周波数ダイバーシチ効果が期待できるため、多くの無線端末を単位通信時間に周波数多重する効果が期待できるためである。
【００５８】
上述のように、αが１であると仮定すると、図８（Ｃ）および図８（Ｂ）を参照すると、図９のフローチャートのステップＳ９０７からステップＳ９０９の処理を終了すると、図８（Ｄ）に示すように、次の通りとなる。
Ｌ＃ａ＝３
Ｌ＃ｂ＝４
Ｌ＃ｃ＝３
【００５９】
図１０は、ＮｔおよびＬｔに基づいて、各ＴＰにおいて、実際に送信されると予想される制御信号の数または当該制御信号の送信に使用される無線リソース量の最大値を表わすＭｔを算出する処理のフローチャートである。別言すると、Ｍｔは、制御信号を多重してセル内の全無線端末に送信する際の多重度の最大値を表わす。図１０のフローチャートの処理は、セルＩＤ決定部４１３により行なわれる。より具体的には、図１０のフローチャートの処理は、多重度算出部４１４により行なわれる。
【００６０】
図１０のステップＳ１００１からステップＳ１００５までは、ＴＰｓの要素についてのループである。別言すると、ステップＳ１００２において、ＮｔとＬｔとを比較する。Ｎｔ＞Ｌｔである場合には、ステップＳ１００３へ分岐し、ＭｔにＬｔを代入する。また、Ｎｔ≦Ｌｔである場合には、ステップＳ１００４へ分岐し、ＭｔにＮｔを代入する。
【００６１】
言い換えると、Ｍｔは、ＮｔとＬｔとのうちの小さい方とする（Ｎｔ＝Ｌｔの場合は、例えばＮｔとする）。これは、伝搬環境としてＬｔ多重することが可能であっても、通信可能な無線端末数に対応する数が制御信号の数の上限となるからである。また、一方で通信可能な無線端末が多くても伝播環境として制御信号の多重度がＬｔまでで十分であれば、単位通信時間において送信する制御信号の数はＬｔとなることが予想されるためである。ただし、本実施形態は、Ｍｔは、ＮｔとＬｔとのうちの小さい方とすることに限定はされない。例えば、Ｍｔは、ＮｔとＬｔとの中間の値、例えば、ＮｔとＬｔとの平均値、とすることもできる。
【００６２】
図８（Ａ）および図８（Ｄ）を参照すると、図１０に示すフローチャートの処理を終了した場合には、Ｍｔの値は、図８（Ｅ）に示すように、次の通りとなる。
Ｍ＃ａ＝３
Ｍ＃ｂ＝４
Ｍ＃ｃ＝２
【００６３】
Ｍｔの値が算出されると、セルＩＤ決定部は、隣接するＴＰのセルＩＤを同一とした場合の制御信号の数または当該制御信号の送信に使用される無線リソース量を算出する。当該算出の処理は、互いに隣接するＴＰの組み合わせについてのＭｔの和を求める。例えば、＃ａのＴＰと＃ｂのＴＰとの組み合わせについて、セルＩＤを同一にした場合には、Ｍ＃ａ＋Ｍ＃ｂ＝３＋４＝７となる。同様に＃ｂのＴＰと＃ｃのＴＰとの組み合わせについては、Ｍ＃ｂ＋Ｍ＃ｃ＝６、＃ｃのＴＰと＃ａのＴＰとの組み合わせについては、Ｍ＃ｃ＋Ｍ＃ａ＝５となる。また、３つのＴＰ（＃ａのＴＰ、＃ｂのＴＰおよび＃ｃのＴＰ）の組み合わせについては、Ｍ＃ａ＋Ｍ＃ｂ＋Ｍ＃ｃ＝１０となる。この結果を表にまとめると、図１１に示す例となる。
【００６４】
ＴＰの無線リソースは有限であるので、一つのＴＰ当たり、送信できる制御信号の数または当該制御信号の送信に使用する無線リソース量の最大値が存在する。そこで、＃ａ〜＃ｃそれぞれのＴＰにおいて、一つのセルＩＤ当たりの、制御信号の数または当該制御信号の送信に使用する無線リソース量の最大値を６とする。図１１に示す例から、＃ｂと＃ｃとに同一のセルＩＤを設定する（＃ｂと＃ｃとを合併する）か、または、＃ｃと＃ａとに同一セルＩＤを設定とする（＃ｃと＃ａとを合併する）と、制御信号の数または当該制御信号の送信に使用する無線リソース量は６を超えない。
【００６５】
したがって、＃ｂと＃ｃとを合併するか、＃ｃと＃ａとを合併することにより、制御信号の無線リソース不足にならないようにすることができる。
【００６６】
また、同一セルＩＤを設定するＴＰの組み合わせが複数存在する場合には、次のことがいえる。ＴＰの組み合わせについてのＭｔの和が、制御信号の数または当該制御信号の送信に使用する無線リソース量の最大値に等しくなると、無線リソースを効率的に使用できる。また、ＴＰの組み合わせについてのＭｔの和が、制御信号の数または当該制御信号の送信に使用する無線リソース量の最大値未満であっても、最大値に近いほど、制御信号の無線リソースを効率的に使用できる。
【００６７】
そこで、図１１の場合には、セルＩＤ決定部４１３は、隣接するＴＰのセルＩＤを同一とした場合の制御信号の数または当該制御信号の送信に使用する無線リソース量の最大値６となるか、または、６に最も近くなるように、ＴＰの組み合わせを選択する。これにより、図１２のように、図５に示す＃ｂと＃ｃとを合併させる。別言すると、＃ｂのＴＰおよび＃ｃのＴＰから同じ制御信号の無線信号が送信される。これにより、制御信号の数または当該制御信号の送信に使用する無線リソース量の使用の効率を上げることができる。また、無線端末＃８は、＃ｂのＴＰおよび＃ｃのＴＰから同じ制御信号の無線信号を受信するので、無線端末＃８におけるセル間の干渉が抑制される。
【００６８】
＃ｂのＴＰおよび＃ｃのＴＰのセルＩＤを同一のセルＩＤに設定した場合の各無線端末の接続ＴＰとセカンダリＴＰは、図１３に示す通りとなる。なお、図１３において、＃ｉのＴＰおよび＃ｊのＴＰのセルＩＤを同一とした場合のセルＩＤを、「＃ｉ：＃ｊ」と記載している。＃ｉ：＃ｊ＝＃ｉまたは＃ｉ：＃ｊ＝＃ｊとなっていてもよいし、＃ｉ：＃ｊは、＃ｉおよび＃ｊと異なるセルＩＤとなっていてもよい。また、ＴＰに設定されたセルＩＤ＃ｉおよび＃ｊのセルＩＤを同一とする場合を、＃ｉが設定されたＴＰのセルと＃ｊが設定されたＴＰのセルとを合併する、または、単に、＃ｉと＃ｊとを合併する、と記載する場合がある。
【００６９】
図１３を参照すると、＃ｂおよび＃ｃのセルＩＤが＃ｂ：＃ｃに設定されたので、無線端末＃２のセカンダリＴＰ、無線端末＃３〜＃９の接続ＴＰおよび無線端末＃１０のセカンダリＴＰのセルＩＤが、＃ｂ：＃ｃのＴＰに変更となる。
【００７０】
しかしながら、図１２を参照すると、＃ｂと＃ｃとを合併し、同一のセルＩＤとしても、無線端末＃２、無線端末＃３および無線端末＃４は、＃ａおよび＃ｂのセル間の干渉を受けることになる。また、無線端末＃９および無線端末＃１０は、＃ｃおよび＃ａのセル間の干渉を受けることになる。別言すると、＃ｂと＃ｃとを合併することにより、無線端末＃８におけるセル間の干渉は解消するとしても、依然として、５つの無線端末においてはセル間の干渉が解消しないことになる。このことは、図１３の「セカンダリＴＰ」の列に＃ｂ：＃ｃおよび＃ａが合計５個格納されていることからも判断することができる。そこで、同一セルＩＤとするＴＰの組み合わせが複数存在する場合における、セルＩＤ決定部４１３の別の選択基準について説明する。
【００７１】
図１４は、セルを合併した場合のＭｔに加え、合併後のセルと他のセルとの境界に存在する無線端末数を算出した例である。合併後のセルと他のセルとの境界に存在する無線端末数とは、合併後のセル内と他のセル内との両方に位置する無線端末の数とすることができる。
【００７２】
したがって、図５に示す例において、＃ａと＃ｂとを合併させると、＃ａまたは＃ｂに位置し、かつ、＃ｃに位置する無線端末＃８、無線端末＃９および無線端末＃１０の総数３が合併後のセル＃ａ：＃ｂと他のセル＃ｃとの境界に存在する無線端末数３となる。また、＃ｂと＃ｃとを合併させると、無線端末＃２、無線端末＃３、無線端末＃４、無線端末＃９および無線端末＃１０の総数５が合併後のセルと他のセルとの境界に存在する無線端末数となる。また、＃ｃと＃ａとを合併させると、無線端末＃２、無線端末＃３、無線端末＃４および無線端末＃８の総数４が合併後のセルと他のセルとの境界に存在する無線端末数となる。
【００７３】
例えば、＃ａと＃ｂとを合併させると、合併後のセルと他のセル＃ｃとの境界に存在する無線端末数は、図７において、「接続ＴＰ」の列または「セカンダリＴＰ」の列に、＃ｃが格納されている行の数となる。
【００７４】
合併後のセルと他のセルとの境界に存在する無線端末数は、合併後にセル間の干渉が発生する無線端末の数であるということができる。したがって、合併後のセルと他のセルとの境界に存在する無線端末数が最も少なくなるのが、合併後のセルと他のセルとの境界に存在する無線端末数が最も少なくならない場合よりも、好ましいといえる。
【００７５】
図１４を参照すると、合併後のＭｔの和が６以下となる＃ｂ：＃ｃと＃ｃ：＃ａとにおいて、合併後のセルと他のセルとの境界に存在する無線端末数が最も少ないのは、＃ｃ：＃ａである。したがって、図１５に示すように＃ｃと＃ａとを合併すると、無線端末＃２、無線端末＃３、無線端末＃４および無線端末＃８の総数４の無線端末が＃ｃ：＃ａと＃ｂとの両方に位置することになり、図１２よりも少なくなる。
【００７６】
以上のように、一実施形態に係る基地局１０１のセルＩＤ制御部４０１は、異なるセルＩＤが設定された複数のＴＰのいずれかのセルに位置する無線端末に送信する制御信号数の数が閾値以下である場合に、当該複数のＴＰのセルＩＤを同一にする。当該複数のＴＰのセルＩＤを同一にすることにより、セル間の干渉の発生を抑制することができる。また、当該複数のＴＰのいずれかのセルに位置する無線端末に送信する制御信号数の数が閾値以下となるので、制御信号の無線リソースを確保し、多重度の低下を抑制することができる。
【００７７】
次に、複数のＴＰのセルＩＤを同一にした後に、一部のＴＰのセルＩＤを異なるＩＤに設定する処理について説明する。当該処理は、複数のＴＰのセルＩＤを同一にした後に、遅延スプレッドが増加し、かつ、セル内に位置する無線端末の数が増加する場合に、行なわれる。
【００７８】
図１６は、＃ａ、＃ｂおよび＃ｃに同一のセルＩＤを設定した後に、セル内に１０個の無線端末＃１〜＃１０が位置するようになった状況を示す図である。無線端末＃１〜＃１０と各セル＃ａ〜＃ｃのＴＰとの接続関係は、点線で示されている。説明を簡単にするために、当該接続関係は、図５と同じである。
【００７９】
この場合、＃ａ：＃ｂ：＃ｃにおけるＭｔの値は１０となり、＃ａ〜＃ｃそれぞれにおいて、一つのセルＩＤ当たりの、制御信号の数または当該制御信号の送信に使用する無線リソース量の最大値である６を超えている。したがって、＃ａ〜＃ｃのいずれか一以上を別のセルＩＤとするのが、＃ａ、＃ｂおよび＃ｃに同一のセルＩＤを設定し続けるよりも、好ましい。
【００８０】
＃ａ：＃ｂと＃ｃとに別のセルＩＤを設定した場合、＃ｂ：＃ｃと＃ａとに別のセルＩＤを設定した場合および＃ｃ：＃ａと＃ｂとに別のセルＩＤを設定したした場合のそれぞれにおける、Ｍｔは、図１４に示すように、７、６および５となる。したがって、セルＩＤ決定部４１３は、＃ｂ：＃ｃと＃ａとに別のセルＩＤにするか、＃ｃ：＃ａと＃ｂとに別のセルＩＤにするのが好ましいことになる。
【００８１】
上述のように、ＴＰに設定されるセルＩＤを＃ｂ：＃ｃと＃ａとにすると、セル間の干渉の発生する無線端末の数が、セルＩＤを＃ｃ：＃ａと＃ｂとにするよりも多くなるので、セルＩＤ決定部４１３は、セルＩＤが＃ｃ：＃ａと＃ｂとになるように決定する。別言すると、＃ｂを＃ａ：＃ｂ：＃ｃより外すことを決定する。
【００８２】
当該決定の結果、図１７に示すように、無線端末＃１および＃２、＃８〜＃１０が＃ｃ：＃ａのＴＰに接続され、無線端末＃３〜＃７が＃ｂのＴＰに接続される。これにより、無線端末＃９および＃１０におけるセル間の干渉を抑制しつつ、制御信号を無線端末へ送信するための無線リソースの不足および多重度の低下を抑制することができる。
【００８３】
以上のように、一実施形態に係る基地局のセルＩＤ制御部は、同一のセルＩＤが設定された複数のＴＰのセルに位置する無線端末に送信する制御信号の数が閾値を超える場合に、当該複数のＴＰの一部のＴＰのセルＩＤを異ならせる。これにより、同一のセルＩＤが設定されたままのＴＰのセルに位置する無線端末に送信する制御信号の数を閾値以下とすることができる。これにより、制御信号を無線端末へ送信するための無線リソースの不足および多重度の低下を抑制することができる。また、セル間の干渉を従来技術よりも小さくすることができる。
【００８４】
図１８は、以上説明した、基地局１０１のセルＩＤ制御部４０１における処理のフローチャートの一例である。ステップＳ１８０１において、各ＴＰにおける制御信号の数または当該制御信号の送信に使用する無線リソース量（Ｍｔ）を計算する。この計算は、制御信号算出部４１２の算出結果に基づいて、多重度算出部４１４において行なわれる。ステップＳ１８０２において、現在同一セルＩＤに設定しているＴＰにおけるＭｔの総和が閾値より大きいかどうかを判断する。現在、同一セルＩＤに設定しているＴＰにおけるＭｔの総和が閾値より大きいならば、「ＹＥＳ」に分岐し、ステップＳ１８０３へ処理を移行させる。また、現在、同一セルＩＤに設定しているＴＰにおけるＭの総和が閾値より大きくないならば「ＮＯ」へ分岐し、ステップＳ１８０５へ処理を移行させる。
【００８５】
例えば、図１６の場合、＃ａ：＃ｂ：＃ｃのＴＰにおいては、Ｍｔの総和は１０となり、閾値６よりも大きい。また、図５の場合、＃ａ、＃ｂおよび＃ｃのそれぞれのＴＰにおいては、Ｍｔの値は、３、４および３となり、閾値よりも小さい。
【００８６】
ステップＳ１８０３（ステップＳ１８０２において「ＹＥＳ」に分岐した場合）においては、セルＩＤを異ならせることで、Ｍｔの総和が閾値以下となるＴＰを選択する。例えば、図１６の場合には、＃ａおよび＃ｂのいずれかが選択される。
【００８７】
ステップＳ１８０４において、上記選択したＴＰに異なるセルＩＤを設定する。例えば、図１６の場合には、＃ｂを＃ａ：＃ｂ：＃ｃから外し、図１７の状態となる。
【００８８】
一方、ステップＳ１８０５（ステップＳ１８０２において「ＮＯ」に分岐した場合）においては、Ｍｔの総和が閾値以下となる範囲で、Ｍｔの総和が大きくなるように、現在異なるセルＩＤに設定されているＴＰの中から同一セルＩＤに設定するＴＰを選択する。例えば、図５の場合、図１１に示すように、＃ｂおよび＃ｃまたは＃ｃと＃ａが選択される。
【００８９】
ステップＳ１８０６において、上記選択したＴＰに同一セルＩＤを設定する。例えば、＃ｂのセルＩＤと＃ｃのセルＩＤとが同一となるようにする。
【００９０】
図１９は、ステップＳ１８０１における、各ＴＰにおける制御信号の数または当該制御信号の送信に使用する無線リソース量を計算する処理のフローチャートである。ステップＳ１９０１において、各ＴＰにおける遅延スプレッドの大きさを算出する。ステップＳ１９０２において、各ＴＰのセルの端部に位置する無線端末の数を算出する。そして、ステップＳ１９０３において、上記、すなわち遅延スプレッドおよび無線端末の数、を用いて、各ＴＰにおける制御信号の数または当該制御信号の送信に使用する無線リソース量（Ｍｔ）を計算する。
【００９１】
なお、ステップＳ１９０１とステップＳ１９０２との処理は、図１９に示す順序に限られることはなく、逆の順序になっていてもよい。
【００９２】
図２０は、図１８のステップＳ１８０３およびステップＳ１８０５の少なくとも一方において、複数のＴＰの組み合わせが選択可能である場合に対応する処理のフローチャートである。
【００９３】
ステップＳ２００１において、ステップＳ１８０１と同様に、各ＴＰにおける制御信号の数または当該制御信号の送信に使用する無線リソース量（Ｍｔ）を計算する。ステップＳ２００２において、現在、同一セルＩＤを設定しているＴＰにおけるＭｔの総和が閾値より大きいかどうかを判断する。もし、現在、同一セルＩＤを設定しているＴＰにおけるＭｔの総和が閾値より大きければ、「ＹＥＳ」に分岐し、ステップＳ２００３へ処理を移行させる。また、もし、現在、同一セルＩＤを設定しているＴＰにおけるＭｔの総和が閾値より大きくなければ「ＮＯ」へ分岐し、ステップＳ２００８へ処理を移行させる。
【００９４】
ステップＳ２００３（ステップＳ２００２において、「ＹＥＳ」に分岐した場合）において、ステップＳ１８０３と同様に、選択されたＴＰに異なるセルＩＤを設定し、選択されたＴＰを異なるセルＩＤに設定すると、Ｍｔの総和が閾値以下になるＴＰを選択する。
【００９５】
ステップＳ２００４においては、ステップＳ２００３の処理の結果、選択されたＴＰを同一セルＩＤから外す（異なるセルＩＤを設定する）ことで、Ｍｔの総和が閾値以下となるセルの候補が複数存在するかどうかを判断する。ＴＰのセルＩＤを同一セルＩＤから外すことで、Ｍｔの総和が閾値以下となるＴＰの候補が複数存在しないときには、「ＮＯ」へ分岐し、ステップＳ２００５へ処理を移す。また、ＴＰのセルＩＤを同一セルＩＤから外すことで、Ｍの総和が閾値以下となるセルの候補が複数存在するときには、ステップＳ２００６へ処理を移す。
【００９６】
ステップＳ２００５（ステップＳ２００４において「ＮＯ」に分岐した場合）においては、ステップＳ１８０４と同様に、上記選択したＴＰに異なるセルＩＤに設定する。
【００９７】
ステップＳ２００６（ステップＳ２００４において「ＹＥＳ」に分岐した場合）においては、複数の候補に関して、それぞれの候補のＴＰに異なるセルＩＤを設定し、同一セルＩＤから外した場合のセルの端部に位置する無線端末数を計算する。例えば、ＴＰ端通信端末数算出部４１１が図１４に示す「他セルとの境界のＭｔ」の列の値を算出する。
【００９８】
ステップＳ２００７において、セルの境界に位置する無線端末数が最も少なくなるＴＰを同一セルＩＤから外す。例えば、図１４の場合には、＃ａ：＃ｂ：＃ｃから＃ｂを外すと、セルＩＤの境界に位置する無線端末数が最も少なくなるので、＃ｂを同一セルＩＤ＃ａ：＃ｂ：＃ｃから外す。
【００９９】
ステップＳ２００８（ステップＳ２００２において、「ＮＯ」に分岐した場合）においては、ステップＳ１８０５と同様の処理を行なう。ステップＳ２００８においては、Ｍｔの総和が閾値以下となる範囲で、Ｍｔの総和が大きくなるように、現在異なるセルＩＤに設定されているＴＰの中から同一セルＩＤにするＴＰを選択する。
【０１００】
ステップＳ２００９において、ステップＳ２００８の処理の結果、Ｍｔの総和が閾値以下となる範囲で、Ｍｔの総和が大きくなるように、現在異なるセルＩＤに設定されているＴＰの中から同一セルＩＤにするＴＰが複数存在するかどうか判断する。もし、Ｍｔの総和が閾値以下となる範囲で、Ｍｔの総和が大きくなるように、現在異なるセルＩＤに設定されているＴＰの中から同一セルＩＤにするセルが複数存在すれば、「ＹＥＳ」に分岐し、ステップＳ２０１１へ処理を移行させる。また、Ｍｔの総和が閾値以下となる範囲で、Ｍｔの総和が大きくなるように、現在異なるセルＩＤに設定されているＴＰの中から同一セルＩＤにするＴＰが複数存在しなければ、「ＮＯ」に分岐し、ステップＳ２０１０へ処理を移行させる。
【０１０１】
ステップＳ２０１１（ステップＳ２００９において「ＹＥＳ」に分岐した場合）においては、複数の候補に関して、同一セルＩＤに設定した場合のＴＰのセルの境界に位置する無線端末数を計算する。例えば、ＴＰ端通信端末数算出部４１１が、図１４に示す「他ＴＰとの境界のＭｔ」の列の値を計算する。
【０１０２】
ステップＳ２０１２において、セルの境界に位置する無線端末数が最も少なくなるＴＰに、同一セルＩＤを設定する。
【０１０３】
ステップＳ２０１０（ステップＳ２００９において「ＮＯ」に分岐した場合）においては、上記選択したＴＰに同一セルＩＤを設定する。
【０１０４】
図２１は、セルとして、＃ａ〜＃ｃが互いに隣接して存在する場合の、セルＩＤの遷移の一例を示す図である。状態２０１１においては、＃ａ〜＃ｃそれぞれには、異なるセルＩＤが設定される。その後、＃ａのＴＰと＃ｂのＴＰとにおける制御信号の数または当該制御信号の送信に使用する無線リソース量の和が閾値未満となれば、状態２０１２に移行し、＃ａと＃ｂとを合併させる。
【０１０５】
また、状態２０１１において、＃ｂのＴＰと＃ｃのＴＰとにおける制御信号の数または当該制御信号の送信に使用する無線リソース量の和が閾値未満となれば、状態２０１３に移行し、＃ｂと＃ｃとを合併させる。
【０１０６】
また、状態２０１１において、＃ｃのＴＰと＃ａのＴＰとにおける制御信号の数または当該制御信号の送信に使用する無線リソース量の和が所定の閾値未満となれば、状態２０１４に移行し、＃ｃと＃とを合併させる。
【０１０７】
また、状態２０１２、２０１３および２０１４のいずれかにおいて、＃ａ〜＃ｃにおける制御信号の数または当該制御信号の送信に使用する無線リソース量の和が所定の閾値未満となれば、状態２０１５に移行し、＃ａ〜＃ｃを合併させる。所定の閾値とは、制御信号の数または当該制御信号の送信に使用される無線リソース量の最大値である。
【０１０８】
また、上述の状態遷移は可逆的である。例えば、状態２０１２において、＃ａ：＃ｂにおける制御信号の数または当該制御信号の送信に使用する無線リソース量の和が所定の閾値以上となれば、＃ａおよび＃ｂに異なるセルＩＤを設定し、状態２０１１に移行する。また、状態２０１３において、＃ｂ：＃ｃにおける制御信号の数または当該制御信号の送信に使用する無線リソース量の和が所定の閾値以上となれば、＃ｂおよび＃ｃに異なるセルＩＤを設定し、状態２０１１に移行する。状態２０１４において、＃ｃ：＃ａにおける制御信号の数または当該制御信号の送信に使用する無線リソース量の和が所定の閾値以上となれば、＃ｃおよび＃ａに異なるセルＩＤを設定し、状態２０１１に移行する。
【０１０９】
また、状態２０１５において、制御信号の数または当該制御信号の送信に使用する無線リソース量の和が所定の閾値以上となれば、状態２０１２、２０１３および２０１４のいずれかに移行する。状態２０１２、２０１３および２０１４のいずれかに移行するかは、＃ａと＃ｂ、＃ｂと＃ｃおよび＃ｃと＃ａの制御信号の数または当該制御信号の送信に使用する無線リソース量の和が所定の閾値未満どうかに依存する。また、セル端の無線端末数にも依存する場合がある。
【０１１０】
図２２は、基地局１０１およびＴＰ１０３〜１０４のハードウェア構成図である。基地局１０１は、プロセッサ２１１０と、記憶装置２１１１と、ＬＳＩ（Ｌａｒｇｅ  Ｓｃａｌｅ  Ｉｎｔｅｇｒａｔｅｄ  ｃｉｒｃｕｉｔ）２１１２とＮＩＦ（Ｎｅｔｗｏｒｋ  ＩｎｔｅｒＦａｃｅ）回路２１１３とを備える。ＮＩＦ回路２１１３は、図４のネットワークＩ／Ｆ４２３およびＴＰ  Ｉ／Ｆ４２１に相当するインターフェース回路である。ＬＳＩ２１１２は、例えば信号処理プロセッサであり、ＢＢＵ４２２に相当するハードウェアである。
【０１１１】
記憶装置２１１１は、ハードディスクおよびＳＳＤ（Ｓｏｌｉｄ  Ｓｔａｔｅ  Ｄｒｉｖｅ）などの不揮発性の記憶装置やＤＲＡＭ（Ｄｙｎａｍｉｃ  Ｒａｎｄｏｍ  Ａｃｃｅｓｓ  Ｍｅｍｏｒｙ）などの揮発性の記憶装置である。記憶装置２１１１は、プロセッサ２１１０により実行されるプログラムや、各種の設定パラメータが記憶される。また、記憶装置２１１１は、プロセッサ２１１０がプログラムを実行する場合の一時作業領域を提供する。
【０１１２】
プロセッサ２１１０は、例えばＣＰＵ（Ｃｅｎｔｒａｌ  Ｐｒｏｃｅｓｓｉｎｇ  Ｕｎｉｔ）であり、記憶装置２１１１に記憶されたプログラムを実行する。プロセッサ２１１０により実行されるプログラムにより、例えば、セルＩＤ制御部４０１の動作が実現される。また、ＮＩＦ回路２１１３およびＬＳＩ２１１２に対するデバイスドライバの処理も実行され、ＮＩＦ回路２１１３およびＬＳＩ２１１２とプロセッサ２１１０との間のデータを入出力する。
【０１１３】
なお、基地局１０１のプロセッサ２１１０はプログラムを実行する構成以外に、ＦＰＧＡ（Ｆｉｅｌｄ  Ｇａｔｅ  Ｐｒｏｇｒａｍｍａｂｌｅ  Ａｒｒａｙ）を用いた構成により、プログラムを用いないようにする構成も可能である。
【０１１４】
ＲＲＨ１０３、１０４および１０５それぞれは、ＲＦ回路２１０１、２１０４および２１０７を備える。ＲＦ回路２１０１、２１０４および２１０７それぞれには、アンテナ２１０２および２１０３、２１０５および２１０６並びに２１０８および２１０９が接続される。ＲＦ回路２１０１、２１０４および２１０７それぞれは、基地局１０１のＴＰ  Ｉ／Ｆ４２１を介してＢＢＵ４２２に接続され、ベースバンド信号と、アンテナ２１０２、２１０３、２１０５、２１０６、２１０８および２１０９の送受信信号と、の間の周波数変換を実行する。
【０１１５】
（比較例）
以上の実施形態において、制御信号の数または当該制御信号の送信に使用する無線リソース量に応じて、同一セルＩＤ方式で運用するか、個別セルＩＤ方式で運用するかの選択について説明した。他の選択の比較例として、セルの端部に位置する無線端末の数に応じて、同一セルＩＤ方式で運用するか、個別セルＩＤ方式で運用するか選択することも考えられる。当該比較例の選択の目的は、セルの端部に位置する無線端末が移動することにより、ハンドオーバが頻繁に発生し、伝送効率が下がることを防止するために、セルの端部に位置する無線端末の数が多いときに、同一セルＩＤ方式で運用することにある。
【０１１６】
例えば、図２３（Ａ）に示すように、ＴＰ１０３がセル２２０１を形成し、ＴＰ１０４がセル２２０２を形成していると仮定し、セル２２０１とセル２２０２の両方に位置する無線端末２２０３の数が多いと仮定する。比較例においては、セル２２０１とセル２２０２とのセルＩＤを同一とする。
【０１１７】
したがって、セル２２０１とセル２２０２の両方に位置する無線端末２２０３の数がさらに多くなると、制御信号の数または無線リソースが、ＴＰ１０３およびＴＰ１０４で送信できる限界を超えてしまう。
【０１１８】
一方、実施形態においては、制御信号の数または当該制御信号の送信に使用する無線リソース量に応じて、セルのセルＩＤを同一にするかどうかの制御を行なう。このため、セル２２０１とセル２２０２の両方に位置する無線端末２２０３の数が多くても、セル２２０１とセル２２０２とのセルＩＤを同一とはならない場合がある。したがって、実施形態においては、比較例よりも、制御信号の数または無線リソースが、ＴＰ１０３およびＴＰ１０４で送信できる限界を超え難くなる。したがって、実施形態においては、比較例よりも無線リソースを効率的に使用可能である。
【０１１９】
また、図２３（Ｂ）は、図２３（Ａ）と同様に、ＴＰ１０３がセル２２０１を形成し、ＴＰ１０４がセル２２０２を形成している。しかし、無線端末２２０４は、セル２２０１およびセル２２０２のいずれか一つに位置している。別言すれば、セル２２０１とセル２２０２の内部の両方に位置する無線端末２２０３は存在しないか少数である。この場合には、比較例においては、セル２２０１とセル２２０２とのセルＩＤを同一にすることはしない。
【０１２０】
一方、実施形態においては、制御信号の数または当該制御信号の送信に使用する無線リソース量に応じて、セルのセルＩＤを同一にするかどうかの制御を行なう。別言すれば、制御信号の数または当該制御信号の送信に使用する無線リソース量が閾値以下であれば、ＴＰ１０３とＴＰ１０４とのセルＩＤを同一とする。これにより、比較例に較べて、無線リソースの使用効率を上げ、また、セル間の干渉を抑制することができる。
【０１２１】
（付記）
上記の実施形態に関し、更に以下の付記を開示する。
【０１２２】
（付記１）
複数の送信ポイントから無線端末宛に送信する制御信号の数又は当該制御信号の送信に使用する無線リソース量に応じて、前記複数の送信ポイントに設定する識別情報を制御する制御部を備えた、基地局。
【０１２３】
（付記２）
前記制御部は、前記複数の送信ポイントの内、互いに異なる識別情報が設定された２以上の送信ポイントの無線エリアに位置する無線端末宛に送信する制御信号の数又は当該制御信号の送信に使用する無線リソース量が閾値未満である場合に、前記異なる識別情報が設定された２以上の送信ポイントの識別情報を同一に設定する、付記１に記載の基地局。
【０１２４】
（付記３）
前記制御部は、識別情報を同一に設定する前記２以上の送信ポイントの組み合わせが複数存在する場合、前記識別情報を同一に設定する前記２以上の送信ポイントの無線エリアと、前記同一に設定する識別情報と異なる識別情報の送信ポイントの無線エリアと、の両方に位置する無線端末の数がより少ない組み合わせを選択する、付記２に記載の基地局。
【０１２５】
（付記４）
前記制御部は、識別情報を同一に設定する前記２以上の送信ポイントの組み合わせが複数存在する場合、前記識別情報を同一に設定する前記２以上の送信ポイントの無線エリアに位置する無線端末宛に送信する制御信号の数又は当該制御信号の送信に使用する無線リソース量が前記閾値になる送信ポイントの組み合わせか、または、前記閾値により近くなる送信ポイントの組み合わせを選択する、付記２に記載の基地局。
【０１２６】
（付記５）
前記制御部は、識別情報を同一に設定された２以上の送信ポイントの無線エリアに位置する無線端末宛に送信する制御信号の数又は当該制御信号の送信に使用する無線リソース量が閾値以上となる場合に、前記識別情報を同一に設定された２以上の送信ポイントの一部の送信ポイントに異なる識別情報を設定する、付記１から４のいずれか１に記載の基地局。
【０１２７】
（付記６）
前記制御部は、前記識別情報を同一に設定された２以上の送信ポイントの一部の送信ポイントが複数存在する場合、前記異なる識別情報が設定される前記一部の送信ポイントの無線エリアと、他の送信ポイントの識別情報の無線エリアと、の両方に位置する無線端末の数が、より少ない送信ポイントの組み合わせを選択する、付記５に記載の基地局。
【０１２８】
（付記７）
制御信号の数又は当該制御信号の送信に使用する無線リソース量は、無線エリアに位置する無線端末の数および前記無線端末が送信ポイントから受信する信号の遅延スプレッドに基づいて算出される、付記１から６のいずれか１に記載の基地局。
【０１２９】
（付記８）
複数の送信ポイントに接続される基地局と、前記複数の送信ポイントの少なくとも１つと通信する無線端末とを備える無線通信システムであって、
複数の送信ポイントから無線端末宛に送信する制御信号の数又は当該制御信号の送信に使用する無線リソース量に応じて、前記複数の送信ポイントに設定する識別情報を制御する制御部を備えた、無線通信システム。
【０１３０】
（付記９）
前記制御部は、前記複数の送信ポイントの内、互いに異なる識別情報が設定された２以上の送信ポイントの無線エリアに位置する無線端末宛に送信する制御信号の数又は当該制御信号の送信に使用する無線リソース量が閾値未満である場合に、前記異なる識別情報が設定された２以上の送信ポイントの識別情報を同一に設定する、付記８に記載の無線通信システム。
【０１３１】
（付記１０）
前記制御部は、識別情報を同一に設定する前記２以上の送信ポイントの組み合わせが複数存在する場合、前記識別情報を同一に設定する前記２以上の送信ポイントの無線エリアと、前記同一に設定する識別情報と異なる識別情報の送信ポイントの無線エリアと、の両方に位置する無線端末の数がより少ない組み合わせを選択する、付記９に記載の無線通信システム。
【０１３２】
（付記１１）
前記制御部は、識別情報を同一に設定する前記２以上の送信ポイントの組み合わせが複数存在する場合、前記識別情報を同一に設定する前記２以上の送信ポイントの無線エリアに位置する無線端末宛に送信する制御信号の数又は当該制御信号の送信に使用する無線リソース量が前記閾値になる送信ポイントの組み合わせか、または、前記閾値により近くなる送信ポイントの組み合わせを選択する、付記９に記載の無線通信システム。
【０１３３】
（付記１２）
前記制御部は、識別情報を同一に設定された２以上の送信ポイントの無線エリアに位置する無線端末宛に送信する制御信号の数又は当該制御信号の送信に使用する無線リソース量が閾値以上となる場合に、前記識別情報を同一に設定された２以上の送信ポイントの一部の送信ポイントに異なる識別情報を設定する、付記８から１１のいずれか１に記載の無線通信システム。
【０１３４】
（付記１３）
前記制御部は、前記識別情報を同一に設定された２以上の送信ポイントの一部の送信ポイントが複数存在する場合、前記異なる識別情報が設定される前記一部の送信ポイントの無線エリアと、他の送信ポイントの識別情報の無線エリアと、の両方に位置する無線端末の数が、より少ない送信ポイントの組み合わせを選択する、付記１２に記載の無線通信システム。
【０１３５】
（付記１４）
複数の送信ポイントから無線端末宛に送信する制御信号の数又は当該制御信号の送信に使用する無線リソース量に応じて、前記複数の送信ポイントに設定する識別情報を制御する、基地局の処理方法。
【０１３６】
（付記１５）
前記複数の送信ポイントの内、互いに異なる識別情報が設定された２以上の送信ポイントの無線エリアに位置する無線端末宛に送信する制御信号の数又は当該制御信号の送信に使用する無線リソース量が閾値未満である場合に、前記異なる識別情報が設定された２以上の送信ポイントの識別情報を同一に設定する、付記１４に記載の基地局の処理方法。
【０１３７】
（付記１６）
識別情報を同一に設定する前記２以上の送信ポイントの組み合わせが複数存在する場合、前記識別情報を同一に設定する前記２以上の送信ポイントの無線エリアと、前記同一に設定する識別情報と異なる識別情報の送信ポイントの無線エリアと、の両方に位置する無線端末の数がより少ない組み合わせを選択する、付記１５に記載の基地局の処理方法。
【０１３８】
（付記１７）
識別情報を同一に設定する前記２以上の送信ポイントの組み合わせが複数存在する場合、前記識別情報を同一に設定する前記２以上の送信ポイントの無線エリアに位置する無線端末宛に送信する制御信号の数又は当該制御信号の送信に使用する無線リソース量が前記閾値になる送信ポイントの組み合わせか、または、前記閾値により近くなる送信ポイントの組み合わせを選択する、付記１５に記載の基地局の処理方法。
【０１３９】
（付記１８）
識別情報を同一に設定された２以上の送信ポイントの無線エリアに位置する無線端末宛に送信する制御信号の数又は当該制御信号の送信に使用する無線リソース量が閾値以上となる場合に、前記識別情報を同一に設定された２以上の送信ポイントの一部の送信ポイントに異なる識別情報を設定する、付記１４から１７のいずれか１に記載の基地局の処理方法。
【０１４０】
（付記１９）
前記識別情報を同一に設定された２以上の送信ポイントの一部の送信ポイントが複数存在する場合、前記異なる識別情報が設定される前記一部の送信ポイントの無線エリアと、他の送信ポイントの識別情報の無線エリアと、の両方に位置する無線端末の数が、より少ない送信ポイントの組み合わせを選択する、付記１８に記載の基地局の処理方法。
【０１４１】
（付記２０）
制御信号の数又は当該制御信号の送信に使用する無線リソース量は、無線エリアに位置する無線端末の数および前記無線端末が送信ポイントから受信する信号の遅延スプレッドに基づいて算出される、付記１４から１９のいずれか１に記載の基地局の処理方法。
【符号の説明】
【０１４２】
１００  無線通信システム
１０１  基地局
１０２、１０３、１０４、１０５  ＴＰ
１０６、１０７、１０５  小セル
１０９  大セル
１１１、１１２、１１３  無線端末
４０１  セルＩＤ制御部
４１１  ＴＰ端通信端末数算出部
４１２  制御信号算出部
４１３  セルＩＤ決定部
４１４  多重度算出部
４１５  第１制御信号算出部
４１６  第２制御信号算出部
４１７  受信電力算出部
４１８  遅延スプレッド計測部
４１９  ＴＰ受信部
４２１  ＴＰ  Ｉ／Ｆ
４２２  ＢＢＵ
４２３  ネットワークＩ／Ｆ
２０１１、２０１２、２０１３、２０１４、２０１５  状態
２１０１、２１０４、２００７  ＲＦ回路
２１０２、２１０３、２１０５、２１０６、２１０８、２１０９  アンテナ
２１１０  プロセッサ
２１１１  記憶装置
２１１２  ＬＳＩ
２１１３  ＮＩＦ回路
２２０１、２２０２  小セル
２２０３、２２０４  無線端末
【図１】
0006682898.tif 000002
【図２】
0006682898.tif 000003
【図３】
0006682898.tif 000004
【図４】
0006682898.tif 000005
【図５】
0006682898.tif 000006
【図６】
0006682898.tif 000007
【図７】
0006682898.tif 000008
【図８】
0006682898.tif 000009
【図９】
0006682898.tif 000010
【図１０】
0006682898.tif 000011
【図１１】
0006682898.tif 000012
【図１２】
0006682898.tif 000013
【図１３】
0006682898.tif 000014
【図１４】
0006682898.tif 000015
【図１５】
0006682898.tif 000016
【図１６】
0006682898.tif 000017
【図１７】
0006682898.tif 000018
【図１８】
0006682898.tif 000019
【図１９】
0006682898.tif 000020
【図２０】
0006682898.tif 000021
【図２１】
0006682898.tif 000022
【図２２】
0006682898.tif 000023
【図２３】
0006682898.tif 000024